(57)【特許請求の範囲】
【請求項１】
便器と、
前記便器から排出された排出物及び該排出物を搬送する搬送水を流通させる流通管と、
前記流通管の下流側に接続され、前記流通管を流通される排出物及び搬送水を貯留する水槽と、
前記水槽に貯留された搬送水を排出する排水部と、
前記排水部に設けられ、空気の流通を遮断する遮断部と、
前記流通管の気相部分を負圧にする負圧手段と、を備えるトイレシステム。
【請求項２】
前記水槽に貯留される搬送水を前記流通管に循環させる循環ラインと、
前記水槽に貯留される搬送水を前記循環ラインに送出する循環ポンプと、を更に備える請求項１に記載のトイレシステム。
【請求項３】
前記負圧手段は、前記水槽の気相部分に接続される請求項１又は２に記載のトイレシステム。
【請求項４】
前記遮断部は、封水部を形成する排水トラップを備えたことを特徴とする請求項１から３のいずれかに記載のトイレシステム。
【請求項５】
前記排水部は、上流側の端部が前記水槽の最低水位の際の液相部分に配置され、
前記遮断部は、前記水槽と前記排水部とにより水が溜まった部分により構成される封水部を備える請求項１から３のいずれかに記載のトイレシステム。
【発明の詳細な説明】
【技術分野】
【０００１】
本発明は、トイレシステムに関する。
【背景技術】
【０００２】
従来、複数の便器と、複数の便器の下方に配置され複数の便器から排出される汚物及び汚物を搬送する搬送水を流通させる横管（流通管）と、を備えるトイレシステムが知られている（例えば、特許文献１参照）。
【先行技術文献】
【特許文献】
【０００３】
【特許文献１】特開２０１４−２９３号公報
【発明の概要】
【発明が解決しようとする課題】
【０００４】
特許文献１に記載のトイレシステムにおいては、横管（流通管）を流通する汚物及び搬送水からの臭気が、便器側に逆流する可能性がある。
【０００５】
本発明は、流通管を流通する水の臭気が、便器へ逆流することを低減できるトイレシステムを提供することを目的とする。
【課題を解決するための手段】
【０００６】
本発明は、便器と、前記便器から排出された排出物及び該排出物を搬送する搬送水を流通させる流通管と、前記流通管の下流側に接続され、前記流通管を流通される排出物及び搬送水を貯留する水槽と、前記水槽に貯留された搬送水を排出する排水部と、前記排水部に設けられ、空気の流通を遮断する遮断部と、前記流通管の気相部分を負圧にする負圧手段と、を備えるトイレシステムに関する。
【０００７】
また、前記水槽に貯留される搬送水を前記流通管に循環させる循環ラインと、前記水槽に貯留される搬送水を前記循環ラインに送出する循環ポンプと、を更に備えることが好ましい。
【０００８】
また、前記水槽に貯留される搬送水を前記流通管に循環させる循環ラインと、前記水槽に貯留される搬送水を前記循環ラインに送出する循環ポンプと、を更に備えることが好ましい。
【０００９】
また、前記負圧手段は、前記水槽の気相部分に接続されることが好ましい。
【００１０】
また、前記遮断部は、封水部を形成する排水トラップを備えたことを特徴とすることが好ましい。
【００１１】
また、前記排水部は、上流側の端部が前記水槽の最低水位の際の液相部分に配置され、前記遮断部は、前記水槽と前記排水部とより水が溜まった部分により構成される封水部を備えることが好ましい。
【発明の効果】
【００１２】
本発明によれば、流通管を流通する水の臭気が、便器へ逆流することを低減できるトイレシステムを提供することができる。
【図面の簡単な説明】
【００１３】
【図１】本発明に係る第１実施形態のトイレシステム１を示す図である。
【図２】本発明に係る第２実施形態のトイレシステム１を示す図である。
【発明を実施するための形態】
【００１４】
［第１実施形態］
図１に示すように、第１実施形態のトイレシステム１は、複数の便器２と、複数の便器排出管３と、流通管としての横管４と、水槽６と、オーバーフロー管５と、循環ラインとしての循環配管７と、負圧用配管７４（負圧手段）と、排水部としての水槽排水管９と、横管点検管４１と、オーバーフロー管点検管５３と、下流側循環路点検管７３と、循環ポンプ１１と、負圧ファン１２（負圧手段）と、水位検知部としての水位検知センサ１３と、制御部１０と、を備える。なお、図１では、電気的な接続の経路を破線で示す。
【００１５】
複数の便器２は、例えば、ビルやマンションの所定の階において、床面１０１上に、所定の方向に並んで設置されている。床面１０１は、複数の便器２を設置する設置面である。複数の便器２の下部には、それぞれ、便器排出管３が接続されている。便器２は、便鉢２１と、便鉢２１の上部に便鉢２１に対して開閉可能に取り付けられる便座２２及び便蓋２３と、を含んで構成される。
【００１６】
便鉢２１の上端縁には、溢れ面２１ａが形成される。本実施形態においては、溢れ面２１ａとは、便鉢２１に水が導入され続けた場合に、水が溢れ出る便鉢２１の上端縁を含む水平面をいう。
【００１７】
便鉢２１の下部には下部開口２１ｂが形成されている。便鉢２１の下部開口２１ｂからは、排泄物等の汚物（排出物）が排出される。
なお、便器２は、水で便鉢の洗浄を行わない無水方式の便器であってよいし、水で便鉢の洗浄を行う洗浄方式の便器であってもよい。洗浄方式の便器の場合には、便鉢２１の下部開口２１ｂからは、排泄物等の汚物のほかに、排泄物等の汚物の洗浄の際に使用した洗浄水も排出される。
【００１８】
便器２は、下部開口２１ｂを開閉するフラッパ機構を有する。フラッパ機構は、フラッパ弁２４と、フラッパ弁回動軸（図示せず）と、を備える。フラッパ弁２４は、便鉢２１の下部開口２１ｂを開閉可能に構成される。フラッパ弁２４は、錘が取り付けられたバランスアーム部（図示せず）を有する。
【００１９】
フラッパ弁２４の上面に溜められた汚物の重みが、バランスアーム部における錘の重みに対して大きくなると、フラッパ弁２４がフラッパ弁回動軸の周りに下方に回動して、下部開口２１ｂが開放される。これにより、フラッパ弁２４の上面に溜められた汚物は、下部開口２１ｂを介して排出される。汚物が排出された後には、フラッパ弁２４は、下部開口２１ｂを閉止する位置に戻る。
フラッパ機構においては、機械的な構造であるため、フラッパ弁２４が下部開口２１ｂを開放してから、フラッパ弁２４が下部開口２１ｂを閉止するまでに、所定の時間を要する。
【００２０】
複数の便器排出管３は、複数の便器２から排出された排泄物等の汚物を横管４に導出する。複数の便器排出管３は、それぞれ、複数の便器２の下部から、下方に延びる。
便器排出管３３の上端部は、接続ソケット２５を介して、便鉢２１の下端部と接続されている。接続ソケット２５は、床面１０１に取り付けられ、床面１０１から上方に延びる管状に形成される。便鉢２１の下端部と接続ソケット２５との接続部分には、パッキン（図示せず）が挟み込まれている。
複数の便器排出管３の下端部は、横管４に接続されている。
【００２１】
横管４は、複数の便器２の下方に、横方向に延びて配置される。横管４は、床面１０１の下方において、複数の便器２が並ぶ方向に沿って直線状に延びる。横管４は、水槽６側が下になるように僅かに下り傾斜した直線状に形成される。横管４の上部には、複数の便器２それぞれが配置される位置において、複数の便器排出管３の下端部が接続されている。
【００２２】
横管４は、最上流部４ａから水槽６まで延びる。最上流部４ａは、横管４における最も上流側の端部であり、横管４におけるオーバーフロー管５（後述）が接続された上流部分４ｂよりも上流側に位置する。横管４における上流部分４ｂは、複数の便器２のうちの最も上流側の便器２よりも上流側の部分であり、オーバーフロー管５（後述）が接続さている。
横管４における最上流部４ａには、後述する循環配管７により循環される搬送水が供給される。
【００２３】
横管４には、最上流部４ａにおいて、循環配管７（後述）により循環される搬送水が供給されており、横管４は、複数の便器２から排出された排泄物等の汚物及び汚物を搬送する搬送水を水槽６へ向けて流通させる。本実施形態においては、搬送水は、汚物を搬送するための水である。
【００２４】
本実施形態においては、汚物及び搬送水が横管４を流通する場合には、汚物及び搬送水は、横管４の内部における上方に空間を有した状態で且つ下方側に溜まった状態で、横管４を流通する。そのため、横管４の内部には、汚物及び搬送水が流通する液相部分と、気体が存在する気相部分と、が存在する。
【００２５】
横管４の下流側の端部は、水槽６の気相部分に接続されている。横管４の気相部分と水槽６（後述）の気相部分とは、連通している。
【００２６】
横管４の最上流部４ａには、横管点検管４１が接続されている。横管点検管４１は、横管４の上流側の端部から側方に延出する。横管点検管４１における横管４と反対側の端部には、横管点検口４１１が形成されている。
【００２７】
横管点検口４１１は、床面１０１の下方において、側方に向けて開口している。横管点検口４１１は、横管４の点検や清掃を行う際に使用されるものである。横管点検口４１１は、横管点検口カバー部材４１２により塞がれている。
【００２８】
水槽６は、横管４の下流側の端部に接続されている。水槽６は、横管４を流通される汚物及び搬送水を貯留するタンクである。水槽６は、床面１０１の下方に配置されている。水槽６には、上方に空間を有した状態で、汚物及び搬送水が貯留される。そのため、水槽６の内部には、汚物及び搬送水が貯留される液相部分と、気体が存在する気相部分と、が存在する。
【００２９】
循環配管７は、水槽６に貯留される搬送水を、横管４における最上流部４ａに循環させる。循環配管７は、上流側循環路７１と、下流側循環路７２と、を有する。
【００３０】
上流側循環路７１の上流側の端部は、水槽６の液相部分に配置される循環ポンプ１１に接続されている。上流側循環路７１の下流側の端部は、下流側循環路７２の上端部７２ａに接続されている。
【００３１】
下流側循環路７２は、立ち上がった状態で、横管４の最上流部４ａに接続されている。下流側循環路７２の下端部は、横管４の最上流部４ａに接続されている。下流側循環路７２の上端部７２ａの側部には、上流側循環路７１の下流側の端部が接続されている。これにより、下流側循環路７２は、上流側循環路７１により循環された搬送水を、横管４の最上流部４ａに供給する。
【００３２】
下流側循環路７２の上端部７２ａには、下流側循環路点検管７３が接続されている。下流側循環路点検管７３は、下流側循環路７２の上端部７２ａから上方に延出する。下流側循環路点検管７３における下流側循環路７２と反対側の端部には、下流側循環路点検口７３１が形成される。
【００３３】
下流側循環路点検口７３１は、床面１０１の上方において、上方に向けて開口している。下流側循環路点検口７３１は、下流側循環路７２の点検や清掃を行う際に使用されるものである。下流側循環路点検口７３１は、下流側循環路点検口カバー部材７３２により塞がれている。
【００３４】
循環ポンプ１１は、水槽６の液相部分に配置されている。循環ポンプ１１は、水槽６に貯留された搬送水を、循環配管７に送出する。循環ポンプ１１は、循環配管７を介して、水槽６に貯留された搬送水を、横管４の最上流部４ａに供給する。循環ポンプ１１は、搬送水を、横管４の最上流部４ａに供給する供給手段を構成する。
【００３５】
オーバーフロー管５は、横管４から立ち上がって、所定高さにおいて水槽６側に屈曲し、水槽６側の横方向に延び、水槽６に接続される。オーバーフロー管５は、複数の便器２の溢れ面２１ａよりも下方の位置に配置される。本実施形態においては、横管４と床面１０１との間の位置で、横管４において詰まりが発生した場合に、横管４から溢れた水を逃がすように構成される。
【００３６】
オーバーフロー管５は、縦オーバーフロー管５１と、横オーバーフロー管５２と、を有する。
【００３７】
縦オーバーフロー管５１は、横管４から立ち上がって形成される。縦オーバーフロー管５１の上流側の端部（下端部）は、横管４における上流部分４ｂに接続される。横管４における上流部分４ｂは、横管４における複数の便器２のうちの最も上流側の便器２ａよりも上流側の部分であって、横管４における最上流部４ａよりも下流側の部分である。縦オーバーフロー管５１の下流側の端部（上端部）５１ａは、横管４と床面１０１との間の高さに位置する。縦オーバーフロー管５１の上端部（下流側の端部）５１ａは、横オーバーフロー管５２とオーバーフロー管点検管５３とに分岐している。
【００３８】
横オーバーフロー管５２は、オーバーフロー管５における横管４と並行して延びる部分である。横オーバーフロー管５２は、横管４と床面１０１との間において、縦オーバーフロー管５１の上端部５１ａから水槽６側の横方向に直線状に延びる。横オーバーフロー管５２は、水槽６側が下になるように僅かに傾斜した直線状に形成される。なお、横オーバーフロー管５２は、横管４と並んで延びる部分であればよく、横管４と平行でなくてもよい。
横オーバーフロー管５２の上流側の端部は、縦オーバーフロー管５１の上端部５１ａに接続されている。横オーバーフロー管５２の下流側の端部は、水槽６における気相部分に直接的に又は間接的に接続されている。
【００３９】
以上の横オーバーフロー管５２は、横管４において詰まりが発生した場合に、横管４から溢れて縦オーバーフロー管５１に流入された水を、高さ方向において、便器２の溢れ面２１ａよりも下方の位置（縦オーバーフロー管５１の上端部５１ａ）で、横オーバーフロー管５２により、横方向に逃がす。そして、横オーバーフロー管５２は、横方向に逃がした水を水槽６に向けて流通させる。
【００４０】
以上のように構成されるオーバーフロー管５は、上流側の端部（縦オーバーフロー管５１の上流側の端部（下端部））が横管４の気相部分に接続され、下流側の端部（横オーバーフロー管５２の下流側の端部）が水槽６の気相部分に接続されている。そのため、オーバーフロー管５は、横管４と水槽６とを連通させており、オーバーフロー管５に水が流入していない状態において、横管４の気相部分と水槽６の気相部分との間において気体を通気させる通気管として機能する。
【００４１】
縦オーバーフロー管５１の上端部（下流側の端部）には、オーバーフロー管点検管５３が接続されている。オーバーフロー管点検管５３は、縦オーバーフロー管５１の上端部（下流側の端部）５１ａから上方に延出する。オーバーフロー管点検管５３には、オーバーフロー管点検口５３１が形成されている。オーバーフロー管点検口５３１は、床面１０１の下方において、上方に向けて開口している。オーバーフロー管点検口５３１は、オーバーフロー管５及び横管４の点検や清掃を行う際に使用されるものである。オーバーフロー管点検口５３１は、オーバーフロー管点検口カバー部材５３２により塞がれている。
【００４２】
水位検知センサ１３は、オーバーフロー管５の水位を検知するセンサである。水位検知センサ１３は、縦オーバーフロー管５１の内部において、横管４の上部から所定の高さの位置に取り付けられる。水位検知センサ１３は、制御部１０と電気的に接続されている。水位検知センサ１３により検知された水位は、制御部１０へ検出信号として送信される。
【００４３】
負圧用配管７４は、水槽６の上部から上方に向けて延びている。負圧用配管７４の上流側の端部は、水槽６の気相部分に接続されている。負圧用配管７４の下流側の端部は、水槽６の外部に開放している。
【００４４】
負圧ファン１２は、負圧用配管７４の途中に配置されている。負圧ファン１２は、横管４の気相部分の内部が負圧になるように、水槽６の気相部分の空気（気体）を吸引する。
【００４５】
水槽排水管９は、水槽６に貯留された搬送水を排水として、水槽６の外部に排出する。水槽排水管９の上流側の端部は、水槽６の液相部分に接続されている。水槽排水管９の下流側は、下水道管などの放流先に接続されている。
【００４６】
水槽排水管９の途中には、排水トラップ９１が配置されている。排水トラップ９１は、下方に凸となるＵ字状のＵ字管により形成され、空気の流通を遮断する封水部９１１（遮断部）を形成する。封水部９１１は、排水トラップ９１のＵ字管における水が溜まった部分により構成される。排水トラップ９１は、封水部９１１に排水を溜めることで、水槽排水管９の排水流路を封水により塞いで、放流先から臭気や害虫が水槽６へ侵入することを防止できる。また、水槽６、横管４およびオーバーフロー管５全体の空間を、負圧ファン１２の利用により、効率的に負圧に保つことができる。
【００４７】
制御部１０は、循環ポンプ１１、負圧ファン１２、水位検知センサ１３等と電気的に接続される。制御部１０は、トイレシステム１の各種の制御を実行する。例えば、制御部１０は、次のような制御を実行する。
【００４８】
制御部１０は、横管４の気相部分が負圧となるように、水槽６の気相部分の空気（気体）を吸引するように、負圧ファン１２を制御する。
制御部１０は、水槽６に貯留された搬送水を循環配管７に送出するように、循環ポンプ１１の駆動を制御する。例えば、制御部１０は、所定時間毎（例えば、１５分毎、３０分毎、１時間毎）に、所定時間駆動を行うように、循環ポンプ１１の駆動を制御する。
制御部１０は、横管４から溢れてオーバーフロー管５に流入した搬送水の水位が所定の水位を上回ったと水位検知センサ１３で検知された場合に、循環ポンプの駆動を停止させ、又は、外部に異常を報知するように制御する。例えば、制御部１０は、横管４が詰まったことの異常を、表示部（ディスプレイ等）、音声部（ブザーやスピーカー等）、発光部（ランプ等）などの報知部（図示せず）により、外部に報知する。
【００４９】
次に、本実施形態のトイレシステム１の動作について説明する。
まず、本実施形態のトイレシステム１の使用状態においては、複数の便器２の下方に配置される横管４の気相部分が負圧となるように、制御部１０による制御を実行する。
具体的には、制御部１０は、水槽６の気相部分の空気（気体）を吸引するように、負圧ファン１２を制御する。これにより、水槽６の気相部分が負圧となることで、水槽６の気相部分に連通する横管４の気相部分も負圧となる。また、水槽６の気相部分が負圧となることで、オーバーフロー管５の内部が負圧となり、横管４の気相部分も負圧となる。よって、横管４の気相部分が負圧となるため、フラッパ弁２４が開放している場合であっても、横管４を流通する汚物及び搬送水の臭気が、便器２へ逆流することを低減することができる。
【００５０】
特に、本実施形態における便器２のフラッパ弁機構は、機械的な構造であり、フラッパ弁２４が開放されてから閉止されるまでに、時間を要する。そのため、フラッパ弁２４が開放されてから閉止されるまでに時間を要しても、横管４を流れる汚物及び搬送水からの臭気が便器２の内部からトイレ室内に入ってくることを効果的に抑制できる。
【００５１】
また、水槽排水管９に排水トラップ９１を設けている。そのため、排水トラップ９１の封水部９１１により、水槽６の気相部分を負圧ファン１２により負圧にする際において、水槽排水管９からの空気の侵入を抑制して、効率的に、水槽６の気相部分を負圧にすることができる。
【００５２】
次に、横管４の気相部分を負圧にした状態で、水槽６に貯留された搬送水を横管４の最上流部４ａに供給する。具体的には、制御部１０は、水槽６に貯留された搬送水を循環配管７に送出するように、循環ポンプ１１の駆動を制御する。例えば、制御部１０は、所定時間毎（例えば、１５分毎、３０分毎、１時間毎）に、所定時間駆動を行うように、循環ポンプ１１の駆動を制御する。このようにして、循環ポンプ１１は、水槽６に貯留された搬送水を横管４に循環させる。
【００５３】
これにより、横管４に汚物等の詰まりがない場合には、横管４の最上流部４ａに供給された搬送水により、便器２から横管４に汚物は、水槽６に向けて搬送され、水槽６に貯留される。水槽６に貯留された搬送水は、循環ポンプ１１が駆動されることで、循環配管７に送出される。水槽６から循環配管７に送出された搬送水は、横管４の最上流部４ａに供給される。そして、再び、横管４の最上流部４ａに供給された搬送水により、便器２から横管４に排出された汚物は、水槽６に向けて搬送される。このように、横管４に搬送水が循環される動作が繰り返される。なお、便器２からの汚物や洗浄水の投入により増加した排水は、水槽排水管９を経て下水道管などに排水される。
【００５４】
ここで、水槽６に貯留された搬送水は、横管４の最上流部４ａに供給される。そのため、循環配管７により循環させる搬送水の汚れが、横管４の上流側に溜まり難くなる。更に、下流側循環路７２から上方に延びる下流側循環路点検管７３の上端部には、下流側循環路点検口７３１が形成される。そのため、下流側循環路点検口７３１により、下流側循環路７２の清掃を行うことができる。
【００５５】
また、横管４に詰まりがない場合には、オーバーフロー管５は、横管４の気相部分と水槽６の気相部分との間において気体を通気させる通気管として機能する。
【００５６】
一方、横管４に汚物等の詰まりが生じた場合には、便器２から横管４に排出された汚物及び搬送水は、横管４から溢れて、オーバーフロー管５に流入する。ここで、オーバーフロー管５は、横管４と床面１０１との間の高さの位置において、横管４から溢れた水を横方向に逃がすように構成される。横管４に汚物等の詰まりが生じた場合には、横管４から溢れた汚物及び搬送水は、オーバーフロー管５における縦オーバーフロー管５１に流入して、横管４と床面１０１との間の高さの位置において、オーバーフロー管５における横オーバーフロー管５２により横方向に搬送されて、水槽６に貯留される。
これにより、便器２の溢れ面２１ａから、汚物及び搬送水が溢れることが抑制される。また、横管４から溢れた汚物及び搬送水を、オーバーフロー管５を介して、水槽６に貯留させることができる。
【００５７】
特に、本実施形態においては、横オーバーフロー管５２は、床面１０１よりも低い位置且つ横管４よりも高い位置において、横方向に延びている。そのため、便器２における床面１０１よりも高い位置において、汚物及び搬送水が溢れることが抑制される。例えば、本実施形態のように、便鉢２１の下端部と接続ソケット２５との接続部分の高さに、横管４からの溢れ水が達することが抑制される。これにより、便鉢２１の下端部と接続ソケット２５との接続部分に配置されるパッキン（図示せず）が劣化等により破損していたとしても、便器２と接続ソケット２５との接続部分から汚物及び搬送水が漏れ出すことが抑制される。
【００５８】
また、オーバーフロー管５は、横管４における複数の便器２のうちの最も上流側の便器２ａよりも上流側の上流部分４ｂに接続されている。そのため、横管４のいずれの場所で詰まりが生じても、横管４を流通する汚物及び搬送水は、オーバーフロー管５に流れ込む。よって横管４に詰まりが生じても、複数の便器２のいずれの溢れ面２１ａからも、汚物及び搬送水が溢れることが抑制される。
【００５９】
また、横管４に詰まりが生じた場合において、汚物及び搬送水が横管４から溢れて縦オーバーフロー管５１に流入した場合には、制御部１０は、水位検知センサ１３により汚物及び搬送水が所定の水位を上回ったと検知すると、循環ポンプ１１を停止させるように制御する。これにより、横管４が詰まった際に、循環ポンプ１１を停止させて、便器２側に汚物及び搬送水が流入することを抑制できる。また、制御部１０は、水位検知センサ１３により所定の水位を上回ったと検知すると、横管４が詰まったことの異常を、報知部（図示せず）により、報知するように制御する。これにより、横管４の詰まりを早期に知らせることができ、早急に、横管４のメンテナンスや修理等を行うことができる。
【００６０】
以上説明した第１実施形態のトイレシステム１によれば、以下のような効果を奏する。
【００６１】
第１実施形態のトイレシステム１は、便器２と、便器２から排出された汚物及び汚物を搬送する搬送水を流通させる横管４と、横管４の下流側に接続され、横管４を流通される汚物及び搬送水を貯留する水槽６と、水槽６に貯留された搬送水を排出する水槽排水管９と、空気の流通を遮断する封水部９１１と、横管４の気相部分を負圧にする負圧ファン１２と、を備える。
【００６２】
そのため、横管４の気相部分が負圧となるため、横管４を流通する汚物及び搬送水の臭気が、便器２へ逆流することを低減することができる。
特に、本実施形態における便器２のフラッパ弁機構は、機械的な構造であり、フラッパ弁２４が開放されてから閉止されるまでに、時間を要する。そのため、フラッパ弁２４が開放されてから閉止されるまでに時間を要しても、横管４を流れる汚物及び搬送水からの臭気が便器２の内部からトイレ室内に入ってくることを効果的に抑制できる。
【００６３】
また、本実施形態のトイレシステム１は、水槽６に貯留される搬送水を横管４に循環させる循環配管７と、水槽６に貯留される搬送水を循環配管７に送出する循環ポンプ１１と、を更に備える。これにより、汚物を搬送する搬送水を再利用することで搬送水に要する費用を低減しつつ、再利用することにより臭気が強くなり易い横管４を流通する搬送水の臭気が、便器２へ逆流することを低減することができる。
【００６４】
また、本実施形態においては、負圧用配管７４は、水槽６の気相部分に接続される。そのため、負圧用配管７４を水槽６に取り付けるだけの簡易な構成で、負圧用配管７４を、水槽６の気相部分に接続することができる。
【００６５】
また、本実施形態においては、水槽排水管９は、封水部９１１を形成する排水トラップ９１を備える。そのため、水槽排水管９に排水トラップ９１を設けているため、封水部９１１により、水槽６の気相部分を負圧にする際において、水槽排水管９からの空気の侵入を抑制して、効率的に、水槽６の気相部分を負圧にすることができる。
【００６６】
具体的には、本実施形態においては、下方に凸となるＵ字状のＵ字管からなる排水トラップ９１を有し、封水部９１１は、排水トラップ９１のＵ字管における水が溜まった部分により構成される。そのため、水槽排水管９にＵ字管からなる排水トラップ９１を設けているため、封水部９１１を形成するＵ字管からなる排水トラップ９１により、水槽６の気相部分を負圧にする際において、水槽排水管９からの空気の侵入を抑制して、効率的に、水槽６の気相部分を負圧にすることができる。
なお、本実施形態においては、排水トラップ９１をＵ字状のＵ字管としたが、これに限定されず、排水トラップ９１は、Ｕ字状以外の形状の管でもよい。
【００６７】
［第２実施形態］
次に、本発明の第２実施形態に係る便器装置１００Ａについて説明する。第２実施形態に係る便器装置１００Ａは、第１実施形態に係る便器装置１００と比べて、排出部としての水槽排水管９Ａの構成が主に異なる。第２実施形態の説明にあたっては、第１実施形態の構成と同一の構成については同一符号を付し、その説明を省略もしくは簡略化する。
【００６８】
第２実施形態の便器装置１００Ａの排水部としての水槽排水管９Ａは、Ｌ字状のＬ字管９２を有する。Ｌ字管９２は、立ち上がり部分９２ａと、横方向部分９２ｂと、を有する。水槽排水管９Ａは、上流側の端部が水槽６に貯留された搬送水の最低水位の液相部分に配置される。
【００６９】
立ち上がり部分９２ａは、上下方向に延びる。立ち上がり部分９２ａは、下端部９２ｃが水槽６の液相部分に配置される。立ち上がり部分９２ａの下端部９２ｃは、水槽６に貯留された水の水面が「最も低い位置」となったときよりも、低い位置に配置される。これにより、Ｌ字管９２における立ち上がり部分９２ａの下方側の水が溜まった部分は、空気の流通を遮断する封水部９２１（遮断部）となる。封水部９２１は、水槽６と水槽排水管９Ａとより水が溜まった部分により構成される。なお、水槽６に貯留された水の水面の「最も低い位置」は、循環ポンプ１１で水槽６に貯留された水を搬送できなくなる高さである。循環ポンプ１１における水槽６の高さや運転時間を調整することで、水槽６に貯留された水の水面の「最も低い位置」を調整可能である。
横方向部分９２ｂは、立ち上がり部分９２ａの上端部から横方向の一方側に略水平に延びる。
以上のように構成される水槽排水管９Ａは、封水部９２１を有した状態で、水槽６の水面の高さの変動により、Ｌ字管９２を介して、水を排出する。
【００７０】
立ち上がり部分９２ａの上端部（下流側の端部）９２ｄには、立ち上がり部分点検管９３が接続されている。立ち上がり部分点検管９３は、立ち上がり部分９２ａの上端部（下流側の端部）９２ｄから上方に延出する。立ち上がり部分点検管９３には、立ち上がり部分点検口９３１が形成されている。立ち上がり部分点検管９３は、水槽６の気相部分において、上方に向けて開口している。立ち上がり部分点検口９３１は、Ｌ字管９２の点検や清掃を行う際に使用されるものである。立ち上がり部分点検口９３１は、立ち上がり部分点検口カバー部材９３２により塞がれている。
【００７１】
第２実施形態のトイレシステムＡによれば、封水部９２１は、水槽６と水槽排水管９Ａとにより水が溜まった部分により構成されるため、第１実施形態のトイレシステム１と同様に、水槽６の気相部分を負圧にする際において、水槽排水管９Ａからの空気の侵入を抑制して、効率的に、水槽６の気相部分を負圧にすることができる。
【００７２】
また、第２実施形態のトイレシステム１Ａにおいては、水槽排水管９Ａは、Ｌ字管９２を有し、Ｌ字管９２における立ち上がり部分９２ａの下方側の水が溜まった部分は、封水部９２１となる。
そのため、封水部９２１を、Ｌ次状のＬ字管９２の一部で構成することができる。Ｌ字状のＬ字管９２は、Ｕ字状のＵ次管よりも直線状の部分が多い。よって、封水部９２１をＬ字管９２の一部で構成することで、封水部をＵ次管の一部で構成するよりも、封水部９２１を構成するための製造コストを低減できる。
また、封水部９２１を、Ｌ字管９２における立ち上がり部分９２ａの下方側の水が溜まった部分で構成することにより、立ち上がり部分９２ａは上下方向に延びるため、立ち上がり部分９２ａの途中にゴミ等の異物が溜まることが低減される。例えば、封水部を第１実施形態のＵ字状のＵ字管からなる排水トラップ９１の一部で構成した場合には、Ｕ字状の部分には、ゴミ等の異物が溜まりやすい。これに対して、本発明においては、封水部９２１を上下方向に延びる立ち上がり部分９２ａの一部で構成することで、封水部をＵ字管の一部で構成するよりも、途中に、ゴミ等の異物が溜まることを低減できる。
なお、本実施形態においては、Ｌ字状のＬ字管９２の一部で封水部９２１を構成したが、これに限定されず、Ｌ字状以外の形状の管で封水部を構成してもよい。
【００７３】
以上、本発明のトイレシステム１、１Ａの好ましい一実施形態について説明したが、本発明は、上述した実施形態に制限されるものではなく、適宜変更が可能である。
例えば、前記実施形態においては、循環ポンプ１１を水槽６の液相部分に設けたが、これに限定されない。例えば、循環ポンプを循環配管７に設けて、循環配管７を流通する水を循環ポンプにより送出することで、水槽６に貯留される水を循環させてもよい。
【００７４】
また、前記実施形態では、便器２は、錘が取り付けられたバランスアーム部を有するフラッパ弁２４を備える構成としたが、これに限定されず、便器は、フラッパ弁の封止機構を備え、手動操作によりフラッパ弁を開放させる構造を備える構成としてもよい。
【００７５】
また、前記実施形態においては、オーバーフロー管５を、床面１０１と横管４との間の位置で、横管４から溢れた水を逃がすように構成したが、これに限定されない。例えば、オーバーフロー管５を、便器２の溢れ面２１ａと床面１０１との間の位置で、横管４から溢れた水を逃がすように構成してもよい。
【００７６】
また、前記実施形態においては、負圧手段を、水槽６における気相部分に接続したが、これに限定されず、例えば、負圧手段を、横管４の気相部分に接続してもよい。
【００７７】
また、前記実施形態においては、負圧手段を、負圧ファン１２を含んで構成したが、これに限定されない。負圧手段を、例えば、吸引ポンプを含んで構成してもよい。
【００７８】
また、前記実施形態においては、水槽排水管９、９Ａの遮断部を封水部９１１、９２１により構成したが、これに限定されない。例えば、遮断部を、排水部に水が流通していない場合において、蓋やシャッターが閉まる構造により構成してもよい。
【符号の説明】
【００７９】
１、１Ａ  トイレシステム
２  便器
４  横管（流通管）
６  水槽
７  循環配管（循環ライン）
９、９Ａ  水槽排水管（排水部）
１１  循環ポンプ
１２  負圧ファン（負圧手段）
７４  負圧用配管（負圧手段）
９１  排水トラップ（Ｕ字管）
９２  Ｌ字管
９１１  封水部（遮断部）
９２１  封水部（遮断部）
【図１】
0006407831.tif 000002
【図２】
0006407831.tif 000003